(57)【要約】【課題】サイズの大型化を招くことなく、出力側配線を分散させて延出させることが可能な分岐端子台を提供する。【解決手段】分岐端子台１０は、絶縁性を有する基台１２と、基台１２に取り付け固定された、入力側配線３４が接続される少なくとも一つの入力端子部３６と、出力側配線４４が接続される、入力端子部３６の数に比して数の多い出力端子部４６と、を含む導電性を有する板状の導電金具１４と、入力端子部３６及び出力端子部４６ごとに取り付けられる、入力側配線３４又は出力側配線４４を導電金具１４に接続させるスタッドボルト２６及び結線ビス５０と、を備える。複数の出力端子部４６は、導電金具１４の外縁に沿って間隔を空けると共に、接続された出力側配線４４が導電金具１４に対して複数の面内方向に延出可能となるように配置されている。【選択図】図２
2017117604.tif 000002
【特許請求の範囲】
【請求項１】
絶縁性を有する基台と、
前記基台に取り付け固定された、入力側配線が接続される少なくとも一つの入力端子部と、出力側配線が接続される、前記入力端子部の数に比して数の多い出力端子部と、を含む導電性を有する板状の導電金具と、
前記入力端子部及び前記出力端子部ごとに取り付けられる、前記入力側配線又は前記出力側配線を前記導電金具に接続させる端子ネジと、
を備える分岐端子台であって、
複数の前記出力端子部は、前記導電金具の外縁に沿って間隔を空けると共に、接続された前記出力側配線が前記導電金具に対して複数の面内方向に延出可能となるように配置されていることを特徴とする分岐端子台。
【請求項２】
前記導電金具は、円形状に形成されており、
複数の前記出力端子部は、前記導電金具の外周縁に沿って間隔を空けると共に、接続された前記出力側配線が前記導電金具に対して放射状に延出可能となるように配置されていることを特徴とする請求項１記載の分岐端子台。
【請求項３】
前記導電金具は、長方形状に形成されており、
複数の前記出力端子部は、前記導電金具の外辺に沿って間隔を空けると共に、接続された前記出力側配線が前記導電金具に対して複数の面内方向に延出可能となるように配置されていることを特徴とする請求項１記載の分岐端子台。
【請求項４】
前記入力端子部は、前記導電金具の中央に配置されていることを特徴とする請求項１乃至３の何れか一項記載の分岐端子台。
【請求項５】
前記入力側配線又は前記出力側配線が接続されている前記入力端子部及び前記出力端子部を覆う、前記入力側配線及び前記出力側配線ごとに対応する開口が開いたカバーを備えることを特徴とする請求項１乃至４の何れか一項記載の分岐端子台。
【請求項６】
前記導電金具及び前記カバーはそれぞれ、該カバーが該導電金具に対してワンタッチ取り付け可能な構造を有することを特徴とする請求項５記載の分岐端子台。
【請求項７】
前記カバーは、壁部に開いた放熱穴を有することを特徴とする請求項５又は６記載の分岐端子台。
【請求項８】
前記入力端子部は、前記入力側配線を介して直流電源のプラス端子又はマイナス端子に接続されていることを特徴とする請求項１乃至７の何れか一項記載の分岐端子台。
【発明の詳細な説明】
【技術分野】
【０００１】
本発明は、入力電源をそれ以上の数の出力電源に分岐する分岐端子台に関する。
【背景技術】
【０００２】
従来、単数又は複数の入力電源をそれ以上の数の出力電源に分岐する分岐端子台が知られている（例えば、特許文献１参照）。分岐端子台は、絶縁性を有する基台と、導電性を有する導電金具と、を備えている。上記特許文献１記載の分岐端子台において、基台は、段違いの複数の端子面を有しており、導電金具は、階段状の段差部を有している。この導電金具は、一つの端子面に設けられる一つの入力端子部と、二つ以上の端子面それぞれに設けられる少なくとも一つの出力端子部と、を有している。入力端子部には、端子ネジを用いて入力側配線が接続される。また、出力端子部には、端子ネジを用いて出力側配線が接続される。上記の導電金具において、複数の出力端子部は、接続された出力側配線が導電金具に対して互いに同じ方向に延出するように配置されている。
【先行技術文献】
【特許文献】
【０００３】
【特許文献１】特開２００７−２９４３３３号公報
【発明の概要】
【発明が解決しようとする課題】
【０００４】
しかしながら、上記した構造を有する分岐端子台では、複数の出力端子部それぞれに接続された出力側配線が、導電金具に対して互いに同じ方向に延出することとなるため、出力端子部の数が多くなるほど出力側配線が狭い領域に集中する。このため、出力端子部の数が多いと、分岐端子台への出力側配線の接続作業やその分岐端子台からの出力側配線の取り外し作業に手間がかかるという不都合が生ずる。尚、この配線集中ないしは不都合は、特に出力側配線と出力端子部との接続が端子ネジを用いて行われるものにおいて顕著である。
【０００５】
一方、上記不都合を回避するうえでは、複数の出力端子部を、接続された出力側配線が導電金具に対して互いに同じ方向に延出するように配置して、各出力側配線を導電金具に対して互いに同じ方向に延出させたまま、それらの出力端子部同士の間隔を大きくすることが考えられるが、かかる構造では、分岐端子台のサイズの大型化を招いてしまう。
【０００６】
本発明は、上述した課題を解決するためになされたものであり、サイズの大型化を招くことなく、出力側配線を分散させて延出させることが可能な分岐端子台を提供することを目的とする。
【課題を解決するための手段】
【０００７】
上記した課題を解決するためになされた本発明の分岐端子台は、絶縁性を有する基台と、前記基台に取り付け固定された、入力側配線が接続される少なくとも一つの入力端子部と、出力側配線が接続される、前記入力端子部の数に比して数の多い出力端子部と、を含む導電性を有する板状の導電金具と、前記入力端子部及び前記出力端子部ごとに取り付けられる、前記入力側配線又は前記出力側配線を前記導電金具に接続させる端子ネジと、を備える分岐端子台であって、複数の前記出力端子部は、前記導電金具の外縁に沿って間隔を空けると共に、接続された前記出力側配線が前記導電金具に対して複数の面内方向に延出可能となるように配置されていることを特徴とするものである。
【０００８】
この構成によれば、分岐端子台の複数の出力端子部が導電金具の外縁に沿って間隔を空けて配置されていると共に、接続された出力側配線がその導電金具に対して複数の面内方向に延出可能となるように配置されている。かかる構造においては、導電金具の外縁に沿って並んだ複数の出力端子部それぞれに接続する出力側配線が、導電金具に対してその導電金具の外側に向けて複数の面内方向に延出することとなるので、複数の出力側配線を分散させてそれぞれ延出させることができ、出力側配線同士が重なり合うなどの、出力側配線が狭い範囲に集中するのを回避することができる。また、出力側配線が狭い範囲に集中するのを回避するうえで、複数の出力側配線を導電金具に対して互いに同じ方向に延出させた状態を維持したまま出力端子部同士の間隔を大きくすることは不要である。従って、本発明によれば、分岐端子台のサイズの大型化を招くことなく、出力側配線を分散させて延出させることが可能である。
【０００９】
また、分岐端子台は、前記導電金具は、円形状に形成されており、複数の前記出力端子部は、前記導電金具の外周縁に沿って間隔を空けると共に、接続された前記出力側配線が前記導電金具に対して放射状に延出可能となるように配置されていることを特徴とするものである。
【００１０】
この構成によれば、分岐端子台の複数の出力端子部が円形状の導電金具の外周縁に沿って間隔を空けて配置されていると共に、接続された出力側配線がその導電金具に対して放射状に延出可能となるように配置されている。かかる構造においては、導電金具の外周縁に沿って並んだ複数の出力端子部それぞれに接続する出力側配線が、導電金具に対してその導電金具の外側に向けて放射状に延出することとなる。従って、本発明においても、分岐端子台のサイズの大型化を招くことなく、出力側配線を分散させて延出させることが可能である。
【００１１】
また、分岐端子台は、前記導電金具は、長方形状に形成されており、複数の前記出力端子部は、前記導電金具の外辺に沿って間隔を空けると共に、接続された前記出力側配線が前記導電金具に対して複数の面内方向に延出可能となるように配置されていることを特徴とするものである。
【００１２】
この構成によれば、分岐端子台の複数の出力端子部が長方形状の導電金具の外辺に沿って間隔を空けて配置されていると共に、接続された出力側配線がその導電金具に対して複数の面内方向に延出可能となるように配置されている。かかる構造においては、導電金具の外辺に沿って並んだ複数の出力端子部それぞれに接続する出力側配線が、導電金具に対してその導電金具の外側に向けて複数の面内方向に延出することとなる。従って、本発明においても、分岐端子台のサイズの大型化を招くことなく、出力側配線を分散させて延出させることが可能である。
【００１３】
また、分岐端子台は、前記入力端子部は、前記導電金具の中央に配置されていることを特徴とするものである。この構成によれば、導電金具の外縁に沿って配置された出力端子部が配置されない導電金具の中央に入力端子部が配置されるので、導電金具の表面上のスペースを効率的に使うことができ、導電金具のスペースの非効率化に起因して分岐端子台のサイズが大型化するのを回避することができる。
【００１４】
また、分岐端子台は、前記入力側配線又は前記出力側配線が接続されている前記入力端子部及び前記出力端子部を覆う、前記入力側配線及び前記出力側配線ごとに対応する開口が開いたカバーを備えることを特徴とするものである。
【００１５】
この構成によれば、入力側配線又は出力側配線が接続されている入力端子部及び出力端子部がカバーで覆われると共に、入力側配線及び出力側配線がそのカバーに開いた開口を通じて外部に延出するので、入力側配線及び出力側配線並びに導電金具の導体部が外部に露出するのを防止することができ、分岐端子台の安全性及び絶縁性を確保することができる。
【００１６】
また、分岐端子台は、前記導電金具及び前記カバーはそれぞれ、該カバーが該導電金具に対してワンタッチ取り付け可能な構造を有することを特徴とするものである。この構成によれば、カバーを導電金具に容易に取り付けることができる。
【００１７】
また、分岐端子台は、前記カバーは、壁部に開いた放熱穴を有することを特徴とするものである。この構成によれば、カバーに覆われた導電金具の表面側の配線接続部分で電流流通に伴って発生する熱を放熱穴を介して外部へ逃がすことができるので、カバーの熱変形を防止することができる。
【００１８】
更に、分岐端子台は、前記入力端子部は、前記入力側配線を介して直流電源のプラス端子又はマイナス端子に接続されていることを特徴とするものである。この構成によれば、分岐端子台で直流電源を複数に分岐することができる。
【図面の簡単な説明】
【００１９】
【図１】本発明の一実施形態に係る分岐端子台の斜視図である。
【図２】本実施形態に係る分岐端子台と配線との分解図である。
【図３】本実施形態に係る分岐端子台が備える導電金具に一本の入力側配線と７本の出力側配線が接続された状態を表した平面図である。
【図４】本実施形態に係る分岐端子台の正面図である。
【図５】本実施形態に係る分岐端子台の側面図である。
【図６】本発明の一変形例に係る分岐端子台が備える導電金具の上面図である。
【図７】本発明の一変形例に係る分岐端子台が備える導電金具の上面図である。
【発明を実施するための形態】
【００２０】
以下、本発明に係る分岐端子台の具体的な実施形態について、図面を参照しつつ説明する。
【００２１】
図１は、本発明の一実施形態に係る分岐端子台１０の斜視図を示す。図２は、本実施形態に係る分岐端子台１０と配線との分解図を示す。図３は、本実施形態に係る分岐端子台１０が備える導電金具に一本の入力側配線と７本の出力側配線が接続された状態を表した平面図を示す。尚、図３においては、導電金具に対するカバーの装着状態を破線で示した。図４は、本実施形態に係る分岐端子台１０の正面図を示す。また、図５は、本実施形態に係る分岐端子台１０の側面図を示す。
【００２２】
本実施形態に係る分岐端子台１０は、入力電源をそれ以上の数の出力電源に分岐する端子台装置である。分岐端子台１０は、直流電源のプラス端子（ＤＣ端子）又はマイナス端子（アース端子）に接続されており、その直流電源を複数に分岐するものである。分岐端子台１０は、例えば電源供給を行う配電盤などに設置されている。図１乃至図５に示す如く、分岐端子台１０は、絶縁性を有する基台１２と、導電性を有する導電金具１４と、を備えている。
【００２３】
基台１２は、絶縁性及び耐熱性を有する樹脂などにより構成されている。基台１２の材質は、例えば、ＰＢＴ（ポリブチレンテレフタレート）などである。基台１２は、分岐端子台１０を配電盤などに取り付け固定するための基部１６と、導電金具１４が取り付け固定される台座部１８と、を有している。基部１６は、分岐端子台１０を配電盤などに取り付け固定できるようにブロック状に形成されている。台座部１８は、基部１６と一体に構成されている。台座部１８は、導電金具１４を取り付け固定できるように基部１６の上面に対して一段高くなる形状を有している。
【００２４】
基部１６には、分岐端子台１０を配電盤などに取り付け固定するのに必要な図示しないボルトが取り付けられるボルト取付部２０が設けられている。ボルト取付部２０は、ボルトの足部が挿通されるボルト穴２２と、ボルトの頭部が収まる収容部２４と、を有している。ボルト取付部２０は、基部１６に２箇所設けられており、例えば台座部１８を挟んだ位置に配置されている。また、台座部１８には、導電金具１４を取り付け固定するのに必要なスタッドボルト２６の足部が挿通されるボルト穴２８が設けられている。ボルト穴２８は、台座部１８に一箇所設けられており、台座部１８の中央に設けられている。尚、スタッドボルト２６は、基台１２の台座部１８にインサート成形で取り付けられていてよい。
【００２５】
導電金具１４は、基台１２に取り付け固定される導電板である。導電金具１４は、黄銅などの金属により構成されている。導電金具１４は、平板からなる板状部材であって、円形状に形成されている。導電金具１４には、上記のスタッドボルト２６が挿通されるボルト穴３０が設けられている。ボルト穴３０は、導電金具１４の中央（すなわち、円中心）に設けられている。導電金具１４は、ボルト穴３０と基台１２の台座部１８のボルト穴２８との双方に挿通されたスタッドボルト２６がナット３２に螺合されて締結されることによりその台座部１８に取り付け固定される。
【００２６】
導電金具１４には、入力側配線３４が接続される入力端子部３６が設けられている。入力側配線３４は、配電盤などからの大電流（例えば、２００ボルト〜１０００ボルトで５０アンペア〜７００アンペア）の流通が可能となるように比較的大きな径（太さ）を有している。入力端子部３６は、入力側配線３４を介して直流電源のプラス端子又はマイナス端子に接続される。
【００２７】
入力端子部３６は、一本の入力側配線３４が接続できるように導電金具１４に一箇所設けられており、導電金具１４の中央（すなわち、円中心）に配置されている。入力側配線３４の一端にある裸線や圧着端子などの導体部は、入力端子部３６においてスタッドボルト２６とナット３２との締結によりバネ座金３８や平座金４０などに挟まれることで導電金具１４に接続される。上記のスタッドボルト２６は、入力端子部３６に取り付けられる、入力側配線３４を導電金具１４に接続させる端子ネジである。
【００２８】
導電金具１４には、また、その外周縁の一部を切り欠いた切欠部４２が設けられている。導電金具１４の中央の入力端子部３６において接続された入力側配線３４は、その導電金具１４に対してその導電金具１４の面内方向に平行な方向に延出する。この入力側配線３４は、導電金具１４の中央の入力端子部３６から上記の切欠部４２が設けられている方向に向けて延出するように導電金具１４に接続される。切欠部４２は、入力側配線３４の径に合わせた大きさ（例えば、導電金具１４に対する６０°角度分）に形成されている。切欠部４２は、入力端子部３６に接続される入力側配線３４の取り回しをし易くするために設けられたものであって、その入力側配線３４の接続作業や取り外し作業を容易にする機能を有する。
【００２９】
導電金具１４には、また、出力側配線４４が接続される出力端子部４６が設けられている。出力側配線４４は、入力側配線３４に流れる電流に比べて小電流（例えば、１０アンペア〜１００アンペア）の流通が可能となるように、入力側配線３４の径に比して小さな径を有している。出力端子部４６は、出力側配線４４を介して直流電源を必要とする装置のプラス端子又はマイナス端子に接続される。出力端子部４６は、導電金具１４の板部を貫通する円形の貫入穴４８を有している。貫入穴４８は、出力側配線４４を接続するためのものである。貫入穴４８の側壁には、雌ネジが形成されている。貫入穴４８には、雄ネジが形成された結線ビス５０が螺合されて締結される。
【００３０】
出力端子部４６及び貫入穴４８は、複数本の出力側配線４４が接続できるように導電金具１４に複数箇所（例えば２〜８箇所；本実施形態においては７箇所）設けられている。出力端子部４６及び貫入穴４８は、その数が入力端子部３６の数に比して多くなるように設定されている。出力端子部４６は、導電金具１４の外周縁に沿って円周状に並んでおり、その外周縁に沿って間隔を空けて配置されている。出力端子部４６は、それぞれの貫入穴４８を中心にして接続される出力側配線４４が導電金具１４に対して中央側から径方向外側に向けて延びかつ複数の面内方向に延出可能となるように配置されている。導電金具１４上において角度的に隣り合う２つの出力端子部４６は、切欠部４２が存在する部位を除いて、ほぼ等間隔に配置されており、所定角度を空けて配置されている。
【００３１】
出力側配線４４の一端にある裸線や圧着端子などの導体部は、出力端子部４６において貫入穴４８での結線ビス５０の螺合によりバネ座金５２や平座金５４などに挟まれることで導電金具１４に接続される。導電金具１４の外周縁にある出力端子部４６において接続された各出力側配線４４はそれぞれ、その導電金具１４に対して所定の面内方向に平行な方向に延出する。各出力側配線４４の延出方向は、導電金具１４の表面上において上記の入力側配線３４の延出方向とは異なり、その入力側配線３４の延出方向に対してずれている。
【００３２】
また、複数の出力側配線４４は、導電金具１４の外周縁の出力端子部４６から複数の面内方向（具体的には、放射状）に延出するように導電金具１４に接続される。結線ビス５０は、出力端子部４６に取り付けられる、出力側配線４４を導電金具１４に接続させる端子ネジである。
【００３３】
分岐端子台１０は、また、カバー６０を備えている。カバー６０は、ポリカーボネートなどの透明樹脂材料により構成されている。カバー６０は、導電金具１４の、入力側配線３４が接続されている入力端子部３６及び出力側配線４４が接続されている出力端子部４６を覆う部材である。カバー６０は、円筒かつ蓋状に形成されており、導電金具１４に着脱可能に取り付けられる。カバー６０は、分岐端子台１０での安全性・絶縁性を確保するための機能を有している。
【００３４】
カバー６０には、カバー６０を導電金具１４に取り付けるための取付部６２が設けられている。また、導電金具１４にも、カバー６０を導電金具１４に取り付けるための取付部６４が設けられている。取付部６２，６４はそれぞれ、両者が噛み合うように互いに対応した例えば鍵状に形成された部材である。取付部６２，６４はそれぞれ、カバー６０又は導電金具１４に複数設けられている。取付部６２と取付部６４とはそれぞれ、例えば導電金具１４とカバー６０との軸回りの相対回転によりカバー６０が導電金具１４に対してワンタッチ取り付け可能な構造を有している。尚、取付部６２，６４は、更に、導電金具１４からのカバー６０の取り外しもワンタッチで行うことが可能な構造を有していてもよい。
【００３５】
カバー６０には、入力側配線３４に対応して開いた開口６６が設けられていると共に、出力側配線４４ごとに対応して開いた開口６８が設けられている。開口６６，６８は、円周方向に並んだカバー６０の足部としての２つの取付部６２の間に設けられている。開口６６は、入力側配線３４の数に合わせて唯一つ設けられている。また、開口６８は、出力側配線４４の数に合わせて複数設けられている。
【００３６】
開口６６は、入力側配線３４の径に対応しており、比較的大きな面積を有するように形成されている。また、開口６８は、分岐端子台１０の導電金具１４に設けられた出力端子部４６の数（すなわち、その導電金具１４に接続される出力側配線４４の数）と同数だけ設けられている。各開口６８は、出力側配線４４の径に対応しており、上記の開口６６の面積に比して小さな面積を有するように形成されている。尚、複数設けられた開口６８はそれぞれ、例えば人の小指が入らない程度の面積を有するように形成されていることが好ましい。
【００３７】
カバー６０には、また、円形に形成された放熱穴７０が設けられている。放熱穴７０は、円筒形状のカバー６０の側壁部や天井壁部に開いている。放熱穴７０は、カバー６０で覆われた導電金具１４の表面側の熱を外部に逃がす風抜き穴であって、カバー６０内からの放熱性を高めてカバー６０の熱変形を防止する機能を有している。放熱穴７０は、カバー６０の熱変形を防止するのに必要な数だけ設けられていればよく、カバー６０に一つだけであってもよいが、多数設けられていてもよい。
【００３８】
本実施形態の分岐端子台１０は、図示しないボルトがボルト取付部２０に取り付けられることで配電盤などに取り付け固定される。この分岐端子台１０の導電金具１４には、電源入力側にある入力端子部３６に一本の入力側配線３４がスタッドボルト２６とナット３２とを用いて接続されると共に、電源出力側にある複数の出力端子部４６それぞれに出力側配線４４が結線ビス５０と貫入穴４８とを用いて接続される。
【００３９】
まず、分岐端子台１０からカバー６０を取り外しかつナット３２、バネ座金３８、及び平座金４０を導電金具１４の入力端子部３６から外した状態で、導電金具１４を基台１２の台座部１８の上に載置する。そして、その導電金具１４の入力端子部３６において台座部１８から突出するスタッドボルト２６を入力側配線３４の導体部に挿通し、更に、そのスタッドボルト２６に平座金４０及びバネ座金３８を通してナット３２を螺合させ、スタッドボルト２６とナット３２とを締結する。かかる締結によれば、導電金具１４が基台１２に取り付け固定されると共に、入力側配線３４が導電金具１４の入力端子部３６に接続される。
【００４０】
次に、結線ビス５０を導電金具１４の出力端子部４６から外した状態で、その出力端子部４６の貫入穴４８に出力側配線４４の導体部を対向させて、結線ビス５０を貫入穴４８に螺合し、結線ビス５０と貫入穴４８とを締結する。かかる締結は、結線ビス５０ごとすなわち出力側配線４４ごとに実施される。かかる締結によれば、出力側配線４４が導電金具１４の出力端子部４６に接続される。
【００４１】
最後に、入力側配線３４及び出力側配線４４が接続された導電金具１４にカバー６０を位置決めしたうえで、取付部６２，６４同士を噛み合わせて、カバー６０を導電金具１４に対してワンタッチで取り付ける。この取り付けは、導電金具１４の中央の入力端子部３６から延びる入力側配線３４がカバー６０の開口６６から外部に飛び出るように、かつ、導電金具１４の外周縁の出力端子部４６から径方向外側に延びる出力側配線４４がカバー６０の開口６８から外部に飛び出るように行われる。かかる取り付けによれば、入力側配線３４及び出力側配線４４が接続された導電金具１４にカバー６０が取り付け固定される。
【００４２】
分岐端子台１０は、上記の如く組み立てられた後、入力側配線３４を介して直流電源が接続されている場合には、その入力側配線３４を介して入力される直流電源を導電金具１４を介して各出力側配線４４に分岐して出力する。この場合は、直流電源から分岐端子台１０を介して各出力側配線４４に接続する複数の装置それぞれに直流電源が供給される。
【００４３】
このように、本実施形態の分岐端子台１０の構造においては、基台１２に取り付け固定された板状の導電金具１４が、入力側配線３４が接続される一つの入力端子部３６と、出力側配線４４が接続される複数の出力端子部４６と、を有すると共に、それら複数の出力端子部４６が、円形状の導電金具１４の外周縁に沿って間隔を空け、かつ、接続された出力側配線４４が導電金具１４に対して複数の面内方向にすなわち放射状に延出可能となるように配置される。そして、入力端子部３６及び出力端子部４６ごとに取り付けられるスタッドボルト２６及び結線ビス５０が、入力側配線３４又は出力側配線４４を導電金具１４に接続させる。
【００４４】
かかる構造においては、導電金具１４の外周縁に沿って並んだ複数の出力端子部４６それぞれに接続する出力側配線４４が、導電金具１４に対してその導電金具１４の外側に向けて複数の面内方向である放射状に延出することとなるので、複数の出力側配線４４を分散させてそれぞれ延出させることができ、出力側配線４４同士が重なり合うなどの、出力側配線４４が導電金具１４の表面上で狭い範囲に集中するのを回避することができる。このため、分岐端子台１０への出力側配線４４の接続作業やその分岐端子台１０からの出力側配線４４の取り外し作業を容易に行うことができる。
【００４５】
また、上記の如く出力側配線４４が導電金具１４の表面上で狭い範囲に集中して配置されるのを回避するうえで、複数の出力側配線４４を導電金具１４に対して互いに同じ方向に延出させた状態を維持したまま導電金具１４の表面上で出力端子部４６同士の間隔を大きくすることは不要であるので、導電金具１４ひいては分岐端子台１０の肥大化を回避することができる。
【００４６】
従って、本実施例の分岐端子台１０によれば、そのサイズの大型化を招くことなく、導電金具１４の表面上に接続される出力側配線４４を分散させて延出させることが可能である。また、この分岐端子台１０の構造によれば、導電金具１４を平板状ではない複雑な形状に形成することなく、配線３４，４４などの沿面距離や直線距離を確保することができるので、従来の分岐端子台の構造に比べて、導電金具１４の構造の簡素化並びに分岐端子台自体のコンパクト化を図ることが可能である。
【００４７】
また、分岐端子台１０の構造においては、複数の出力端子部４６が導電金具１４の外周縁に沿って並んで配置されていると共に、入力端子部３６が導電金具１４の中央に配置されている。かかる構造においては、導電金具１４の、出力端子部４６が配置されない中央のスペースに入力端子部３６が配置されることとなるので、導電金具１４の表面上のスペースを効率的に配線接続のために使うことができ、導電金具１４のスペースの非効率化に起因して分岐端子台１０のサイズが大型化するのを回避することができる。
【００４８】
また、上記の導電金具１４には、その外周縁の一部を切り欠いた切欠部４２が設けられており、その切欠部４２が入力側配線３４の径に合わせた大きさに形成されている。このため、切欠部４２の存在により、入力端子部３６に接続される入力側配線３４の取り回しをし易くすることができ、その入力側配線３４の接続作業や取り外し作業を容易に行うことができる。
【００４９】
また、分岐端子台１０の構造においては、導電金具１４の、入力側配線３４が接続されている入力端子部３６及び出力側配線４４が接続されている出力端子部４６を覆うカバー６０が取り付けられている。そして、このカバー６０に開いた開口６６，６８を通じて入力側配線３４及び出力側配線４４が延出する。このため、入力側配線３４及び出力側配線４４並びに導電金具１４の導体部が外部に露出するのを防止することができ、分岐端子台１０の安全性及び絶縁性を確保することができる。
【００５０】
また、分岐端子台１０の構造においては、導電金具１４及びカバー６０がそれぞれ、カバー６０が導電金具１４に対してワンタッチで取り付け可能な構造を有し、カバー６０が導電金具１４に対してワンタッチ取り付け可能である。このため、カバー６０の導電金具１４への取り付けを容易に行うことができる。
【００５１】
また、分岐端子台１０の構造においては、上記のカバー６０が、側壁部や天井壁部に開いた放熱穴７０を有している。このため、カバー６０に覆われた導電金具１４の表面側の配線接続部分で電流流通に伴って発生する熱を放熱穴７０を介して外部へ逃がすことができるので、カバー６０内の放熱性を高めてそのカバー６０の熱変形を防止することができる。
【００５２】
更に、分岐端子台１０においては、入力端子部３６が入力側配線３４を介して直流電源のプラス端子又はマイナス端子に接続されている。従って、分岐端子台１０で直流電源を複数に分岐して、下流側にある直流電源を必要とする装置に向けて供給することができる。
【００５３】
ところで、上記の実施形態においては、スタッドボルト２６及び結線ビス５０が特許請求の範囲に記載した「端子ネジ」に相当している。
【００５４】
以上詳述したことから明らかなように、本実施形態の分岐端子台１０は、絶縁性を有する基台１２と、基台１２に取り付け固定された、入力側配線３４が接続される少なくとも一つの入力端子部３６と、出力側配線４４が接続される、入力端子部３６の数に比して数の多い出力端子部４６と、を含む導電性を有する板状の導電金具１４と、入力端子部３６及び出力端子部４６ごとに取り付けられる、入力側配線３４又は出力側配線４４を導電金具１４に接続させるスタッドボルト２６及び結線ビス５０と、を備える分岐端子台であって、複数の出力端子部４６は、導電金具１４の外縁に沿って間隔を空けると共に、接続された出力側配線４４が導電金具１４に対して複数の面内方向に延出可能となるように配置されていることを特徴とするものである。
【００５５】
この構成によれば、導電金具１４の外縁に沿って並んだ複数の出力端子部４６それぞれに接続する出力側配線４４が、導電金具１４に対してその導電金具１４の外側に向けて複数の面内方向に延出することとなるので、複数の出力側配線４４を分散させてそれぞれ延出させることができ、出力側配線４４同士が重なり合うなどの、出力側配線４４が狭い範囲に集中するのを回避することができる。また、出力側配線４４が狭い範囲に集中するのを回避するうえで、複数の出力側配線４４を導電金具１４に対して互いに同じ方向に延出させた状態を維持したまま出力端子部４６同士の間隔を大きくすることは不要である。従って、本実施形態の構成によれば、分岐端子台１０のサイズの大型化を招くことなく、出力側配線４４を分散させて延出させることができる。
【００５６】
また、分岐端子台１０は、導電金具１４は、円形状に形成されており、複数の出力端子部４６は、導電金具１４の外周縁に沿って間隔を空けると共に、接続された出力側配線４４が導電金具１４に対して放射状に延出可能となるように配置されていることを特徴とするものである。この構成によれば、導電金具１４の外周縁に沿って並んだ複数の出力端子部４６それぞれに接続する出力側配線４４が、導電金具１４に対してその導電金具１４の外側に向けて放射状に延出することとなる。従って、本実施形態の構成においても、分岐端子台１０のサイズの大型化を招くことなく、出力側配線４４を分散させて延出させることができる。
【００５７】
また、分岐端子台１０は、入力端子部３６は、導電金具１４の中央に配置されていることを特徴とするものである。この構成によれば、導電金具１４の外縁に沿って配置された出力端子部４６が配置されない導電金具１４の中央に入力端子部３６が配置されるので、導電金具１４の表面上のスペースを効率的に使うことができ、導電金具１４のスペースの非効率化に起因して分岐端子台１０のサイズが大型化するのを回避することができる。
【００５８】
また、分岐端子台１０は、入力側配線３４又は出力側配線４４が接続されている入力端子部３６及び出力端子部４６を覆う、入力側配線３４及び出力側配線４４ごとに対応する開口６６，６８が開いたカバー６０を備えることを特徴とするものである。この構成によれば、入力側配線３４又は出力側配線４４が接続されている入力端子部３６及び出力端子部４６がカバー６０で覆われると共に、入力側配線３４及び出力側配線４４がそのカバー６０に開いた開口６６，６８を通じて外部に延出するので、入力側配線３４及び出力側配線４４並びに導電金具１４の導体部が外部に露出するのを防止することができ、分岐端子台１０の安全性及び絶縁性を確保することができる。
【００５９】
また、分岐端子台１０は、導電金具１４及びカバー６０はそれぞれ、該カバー６０が該導電金具１４に対してワンタッチ取り付け可能な構造を有することを特徴とするものである。この構成によれば、カバー６０を導電金具に容易に取り付けることができる。
【００６０】
また、分岐端子台１０は、カバー６０は、壁部に開いた放熱穴７０を有することを特徴とするものである。この構成によれば、カバー６０に覆われた導電金具１４の表面側の配線接続部分で電流流通に伴って発生する熱を放熱穴７０を介して外部へ逃がすことができるので、カバー６０の熱変形を防止することができる。
【００６１】
更に、分岐端子台１０は、入力端子部３６は、入力側配線３４を介して直流電源のプラス端子又はマイナス端子に接続されていることを特徴とするものである。この構成によれば、分岐端子台１０で直流電源を複数に分岐することができる。
尚、本発明は、上述した実施形態や変形例に限定されるものではなく、本発明の趣旨を逸脱しない範囲で種々の変更を施すことが可能である。
【００６２】
例えば、上記の実施形態においては、導電金具１４が円形状に形成されており、複数の出力端子部４６がその導電金具１４の外周縁に沿って間隔を空けて配置され、出力側配線４４が導電金具１４に対して放射状に延出することとしている。しかし、本発明はこれに限定されるものではなく、導電金具１４が多角形や楕円状に形成され、複数の出力端子部４６がその導電金具１４の外縁に沿って間隔を空けて配置され、出力側配線４４が導電金具１４に対して複数の面内方向に延出することとしてもよい。
【００６３】
例えば、図６に示す如く、導電金具１４が長方形状に形成され、複数の出力端子部４６がその導電金具１４の外辺に沿って間隔を空けて配置され、出力側配線４４が導電金具１４に対して複数の面内方向に延出することとしてもよい。また、図７に示す如く、導電金具１４が六角形状に形成され、複数の出力端子部４６がその導電金具１４の外辺に沿って間隔を空けて配置され、出力側配線４４が導電金具１４に対して複数の面内方向に延出することとしてもよい。
【００６４】
また、上記の実施形態においては、導電金具１４に設けられる入力端子部３６を一箇所としている。しかし、本発明はこれに限定されるものではなく、その入力端子部３６を複数箇所としてもよい。但し、一の導電金具１４における入力端子部３６の数は、出力端子部４６の数に比して少なくなるように設定される。
【符号の説明】
【００６５】
１０  分岐端子台
１２  基台
１４  導電金具
２６  スタッドボルト
３２  ナット
３４  入力側配線
３６  入力端子部
４２  切欠部
４４  出力側配線
４６  出力端子部
４８  貫入穴
５０  結線ビス
６０  カバー
６６，６８  開口
７０  放熱穴
【図１】
2017117604.tif 000003
【図２】
2017117604.tif 000004
【図３】
2017117604.tif 000005
【図４】
2017117604.tif 000006
【図５】
2017117604.tif 000007
【図６】
2017117604.tif 000008
【図７】
2017117604.tif 000009